(57)【要約】【課題】記録紙を粘着剤付加装置に搬送する際に搬送経路を変更することなく粘着剤を記録紙に付加することが可能な記録装置、粘着剤付加装置及び印刷システムを提供することを目的とする。【解決手段】プリンター１は、記録紙３に記録を行う記録ヘッド２１と、記録紙３を搬送する搬送機構１２と、記録ヘッド２１で記録された記録紙３を切断するオートカッター１３と、粘着剤４１Ａを収容する粘着剤収容部３６、及び粘着剤収容部３６に配設されて記録紙３に当接して粘着剤４１Ａを記録紙３に付加する付加ローラー４３を有する繰出機構３７と、繰出機構３７が記録紙３に当接する当接位置もしくは繰出機構３７が記録紙３と離隔する離隔位置に付加ローラー４３を移動させる搖動駆動部２７と、を備える。【選択図】図１
2014097851.tif 000002
【特許請求の範囲】
【請求項１】
記録媒体に記録を行う記録ヘッドと、
前記記録媒体を搬送する搬送機構と、
前記記録ヘッドで記録された前記記録媒体を切断する切断部と、
粘着剤を収容する粘着剤収容部、及び前記粘着剤収容部に配設されて前記記録媒体に当接して前記粘着剤を前記記録媒体に付加する粘着剤付加部材を有する粘着剤付加部と、
前記粘着剤付加部材が前記記録媒体に当接する当接位置もしくは前記粘着剤付加部材が前記記録媒体と離隔する離隔位置に前記粘着剤付加部材を移動させる動作部と、
を備えることを特徴とする記録装置。
【請求項２】
前記記録媒体を搬送する搬送ローラーを備え、
前記粘着剤付加部材が前記動作部により前記当接位置に移動したときに、前記粘着剤付加部材は前記記録媒体を介して前記搬送ローラーと当接する請求項１に記載の記録装置。
【請求項３】
前記粘着剤収容部は、テープ材に前記粘着剤を剥離可能に付着させた粘着剤テープを収容し、
前記粘着剤付加部材は、前記粘着剤テープを懸架する粘着剤付加ローラーであり、
前記粘着剤付加ローラーが前記当接位置に移動したときに前記粘着剤テープを前記記録媒体に接触させる請求項２に記載の記録装置。
【請求項４】
前記搬送ローラーを駆動させる駆動機構を有し、
前記粘着剤付加部材が前記当接位置に移動したときに、前記駆動機構は前記搬送ローラーを駆動させる請求項１乃至３のいずれか１項に記載の記録装置。
【請求項５】
粘着剤を収容する粘着剤収容部と、
前記粘着剤収容部に配設され、記録媒体に当接して前記粘着剤収容部に収容された前記粘着剤を前記記録媒体に付加する粘着剤付加部材と、
前記粘着剤付加部材が前記記録媒体に当接する当接位置もしくは前記粘着剤付加部材が前記記録媒体と離隔する離隔位置に前記粘着剤収容部を移動させる動作部と、
を備えることを特徴とする粘着剤付加装置。
【請求項６】
前記動作部は、動作信号が入力されるインターフェイス部を有する請求項５に記載の粘着剤付加装置。
【請求項７】
記録媒体に記録を行う記録ヘッド、前記記録媒体を搬送する搬送機構、前記記録ヘッドで記録された前記記録媒体を切断するする切断部、及び前記切断部で切断された前記記録媒体を排出する排出口を有する印刷装置と、
粘着剤を収容する粘着剤収容部、前記粘着剤収容部に配設されて前記記録媒体に当接して前記粘着剤を前記記録媒体に付加する粘着剤付加部材を有する粘着剤付加部、及び前記粘着剤付加部材が前記記録媒体に当接する当接位置もしくは前記粘着剤付加部材が前記記録媒体と離隔する離隔位置に前記粘着剤収容部を移動させる動作部を有し、前記粘着剤収容部を前記当接位置に移動させたときに、前記印刷装置の前記排出口から排出された前記記録媒体に前記粘着剤を付加する粘着剤付加装置と、
を備えることを特徴とする印刷システム。
【発明の詳細な説明】
【技術分野】
【０００１】
本発明は、粘着剤付加装置を備える記録装置、粘着剤付加装置、及び、印刷システムに関する。
【背景技術】
【０００２】
従来、記録紙に粘着剤を転写する転写機構を備えたプリンターが知られている（例えば、特許文献１参照）。特許文献１記載の転写機構は、粘着剤テープが巻かれた転写ローラーと、転写ローラー上の粘着剤テープに記録紙を押圧する押圧機構とを備え、押圧機構を作動させることで、粘着剤テープから記録紙に粘着剤を転写する。また、転写ローラーの回転軸には、その両端に転写ローラーを挟むように配置された一対の繰り出しローラーが取付けられ、これらの繰り出しローラーで記録紙が搬送される。
【先行技術文献】
【特許文献】
【０００３】
【特許文献１】特開２０１１−２３５５９５号公報
【発明の概要】
【発明が解決しようとする課題】
【０００４】
上記の特許文献１では、粘着剤を記録紙に転写するときには、記録紙を転写ローラー側へ押圧機構で移動させるため、記録紙の搬送経路が変更されて、押圧機構の上流側近傍に配置されたオートカッターによる記録紙のカットや、紙検出センサーによる記録紙の検出に影響を及ぼすことが考えられる。
本発明は、上述した事情に鑑みてなされたものであり、記録紙を粘着剤付加装置に搬送する際に搬送経路を大きく変更することなく粘着剤を記録紙に付加することが可能な記録装置、粘着剤付加装置及び印刷システムを提供することを目的とする。また、記録紙に対する粘着剤の付加位置の自由度を増すことが可能な記録装置、粘着剤付加装置及び印刷システムを提供することを目的とする。
【課題を解決するための手段】
【０００５】
上記目的を達成するために、本発明は、記録媒体に記録を行う記録ヘッドと、前記記録媒体を搬送する搬送機構と、前記記録ヘッドで記録された前記記録媒体を切断する切断部と、粘着剤を収容する粘着剤収容部、及び前記粘着剤収容部に配設されて前記記録媒体に当接して前記粘着剤を前記記録媒体に付加する粘着剤付加部材を有する粘着剤付加部と、前記粘着剤付加部材が前記記録媒体に当接する当接位置もしくは前記粘着剤付加部材が前記記録媒体と離隔する離隔位置に前記粘着剤付加部材を移動させる動作部と、を備えることを特徴とする。
本発明の構成によれば、作動部によって粘着剤付加部を離隔位置から当接位置まで移動させることにより、粘着剤を記録媒体に付加するので、記録媒体を粘着剤付加部へ搬送する際に搬送経路を大きく変更する必要がない。これにより、切断部での記録媒体の切断等に影響を与え難くすることが可能となる。
【０００６】
また、本発明の記録装置において、前記記録媒体を搬送する搬送ローラーを備え、前記粘着剤付加部材が前記動作部により前記当接位置に移動したときに、前記粘着剤付加部材は前記記録媒体を介して前記搬送ローラーと当接する構成としてもよい。
本発明の構成によれば、粘着剤付加部材が記録媒体を介して搬送ローラーと当接することで、粘着剤付加部材により粘着剤を記録媒体に付加しながら記録媒体を搬送ローラーで搬送することができる。また、このとき、搬送ローラーが記録媒体に対して粘着剤付加部とは反対側に配置されるため、搬送ローラーに粘着剤が付着し難い。このため、例えば、記録媒体に対する粘着剤の付加位置を、搬送ローラーを避けた位置とする必要がない。従って、粘着剤を付加させる位置が制約されないので、記録媒体における粘着剤の付加位置の自由度を増すことができる。
【０００７】
また、本発明の記録装置において、前記粘着剤収容部は、テープ材に前記粘着剤を剥離可能に付着させた粘着剤テープを収容し、前記粘着剤付加部材は、前記粘着剤テープを懸架する粘着剤付加ローラーであり、前記粘着剤付加ローラーが前記当接位置に移動したときに前記粘着剤テープを前記記録媒体に接触させる構成としてもよい。
本発明の構成によれば、粘着剤テープを粘着剤付加ローラーで懸架しながら記録媒体に接触させて粘着剤を記録媒体に付加する簡易な構成により、記録媒体に粘着剤を連続的に付加することができる。
【０００８】
また、本発明の記録装置において、前記搬送ローラーを駆動させる駆動機構を有し、前記粘着剤付加部材が前記当接位置に移動したときに、前記駆動機構は前記搬送ローラーを駆動させる構成としてもよい。
本発明の構成によれば、搬送ローラーが搬送機構とは独立する駆動機構を有しているので、粘着剤を付加させる機構を持たない記録装置に粘着剤付加装置を後付けすることによって、本発明の記録装置を実現できる。また、駆動機構は、前記粘着剤付加部材が前記当接位置に移動したときに搬送ローラーを駆動させるので、搬送ローラーを駆動させる動力を節約できる。
【０００９】
また、本発明は、粘着剤を収容する粘着剤収容部と、前記粘着剤収容部に配設され、記録媒体に当接して前記粘着剤収容部に収容された前記粘着剤を前記記録媒体に付加する粘着剤付加部材と、前記粘着剤付加部材が前記記録媒体に当接する当接位置もしくは前記粘着剤付加部材が前記記録媒体と離隔する離隔位置に前記粘着剤収容部を移動させる動作部と、を備えることを特徴とする。
本発明の構成によれば、作動部によって粘着剤付加部を離隔位置から当接位置まで移動させることにより、粘着剤を記録媒体に付加するので、記録媒体を粘着剤付加部へ搬送する際に搬送経路を大きく変更する必要がない。また、粘着剤を付加させる機構を持たない記録装置に本発明の粘着剤付加装置を容易に後付けすることができる。
【００１０】
また、本発明は、記録媒体に記録を行う記録ヘッド、前記記録媒体を搬送する搬送機構、前記記録ヘッドで記録された前記記録媒体を切断する切断部、及び前記切断部で切断された前記記録媒体を排出する排出口を有する印刷装置と、粘着剤を収容する粘着剤収容部、前記粘着剤収容部に配設されて前記記録媒体に当接して前記粘着剤を前記記録媒体に付加する粘着剤付加部材を有する粘着剤付加部、及び前記粘着剤付加部材が前記記録媒体に当接する当接位置もしくは前記粘着剤付加部材が前記記録媒体と離隔する離隔位置に前記粘着剤収容部を移動させる動作部を有し、前記粘着剤収容部を前記当接位置に移動させたときに、前記印刷装置の前記排出口から排出された前記記録媒体に前記粘着剤を付加する粘着剤付加装置と、を備えることを特徴とする。
本発明の構成によれば、作動部によって粘着剤付加部を離隔位置から当接位置まで移動させることにより、粘着剤を記録媒体に付加するので、記録媒体を粘着剤付加部へ搬送する際に搬送経路を大きく変更する必要がない。これにより、切断部での記録媒体の切断等に影響を与え難くすることが可能となる。
【図面の簡単な説明】
【００１１】
【図１】本実施形態に係るプリンターを示す断面図である。
【図２】プリンターの制御系を示す機能ブロック図である。
【図３】プリンターの動作を示す説明図である。
【図４】プリンターの動作を示すフローチャートである。
【発明を実施するための形態】
【００１２】
以下、図面を参照して本発明の実施形態について説明する。
図１は、本実施形態に係るプリンター１を示す断面図である。
プリンター１（記録装置）は、例えば、ホストコンピューターに接続されてレシートを出力するレジ用のプリンターであり、記録紙３に印刷する印刷機構４を備えたプリンター本体５と、このプリンター本体５における記録紙３の搬送方向の下流側に配置されて記録紙３に粘着剤を付加する粘着剤付加装置６とを備える。
プリンター本体５は、記録紙３が巻かれたロール紙１１と、このロール紙１１から記録紙３を引き出して搬送する搬送機構１２と、記録紙３の片面（表面）に印刷する印刷機構４と、この印刷機構４における記録紙３の搬送方向の下流側に配置されて記録紙３をカットするオートカッター１３と、これらのロール紙１１、搬送機構１２、印刷機構４及びオートカッター１３を収納するケース１４と、後述するＤＫＤ（Ｄｒａｗｅｒ  Ｋｉｃｋ  Ｄｒｉｖｅｒ）インターフェイス（Ｉ／Ｆ）５２とを備える。
【００１３】
ロール紙１１は、例えば感熱紙からなる記録紙３をロール状に巻いたものであり、ケース１４に設けられたロール紙装填部１７に回転自在に装填される。
搬送機構１２は、記録紙３に文字等を印字する記録ヘッド２１に対向して配置されたプラテンローラー２２と、回転軸２３を介してプラテンローラー２２を駆動させる図示しないモーター等を有する搬送駆動部６３（図２参照）とを備える。また、印刷機構４は、サーマルヘッドで構成された記録ヘッド２１である。
記録ヘッド２１とプラテンローラー２２とは記録紙３を介して所定の押圧力で押圧し、記録紙３に文字や画像を記録する。この時プラテンローラー２２は回転して記録紙３を所定速度で搬送する。
ケース１４の壁１４ａには記録ヘッド２１により記録された記録紙３を排出する排出口１４ｂが設けられ、この排出口１４ｂで排出される記録紙３を切断するオートカッター１３が配置される。オートカッター１３に設けられた一対のカッター刃により記録紙３が切断される。
【００１４】
粘着剤付加装置６は、記録紙３を搬送する搬送部２５と、ケース１４の排出口１４ｂから排出された記録紙３に粘着剤を付加する付加部２６と、付加部２６を揺動させる搖動駆動部２７と、搬送部２５、付加部２６及び搖動駆動部２７を収納するユニットケース２８とを備える。ユニットケース２８は、ケース１４の壁１４ａに着脱自在に取付けられる。
粘着剤付加装置６を使用しない場合には、粘着剤付加装置６をプリンター本体５から取り外すことも可能である。
搬送部２５は、記録紙３の第１面（記録面）に接するように配置されて記録紙３を搬送する第１搬送ローラー部２９及び第２搬送ローラー３１と、第１搬送ローラー部２９及び第２搬送ローラー３１を回転駆動させる図示しないモーター等を有する搬送駆動機構６６（図２参照）と、記録紙３の第２面（裏面）に接するようにユニットケース２８に取付けられた記録紙保持部材３３と、ユニットケース２８の壁２８ａに設けられた記録紙排出用のユニット排出口２８ｂの近傍に配置されて記録紙３の第２面を案内する紙案内部３８とを備える。符号３４は第２搬送ローラー３１の回転軸であり、搬送駆動機構６６により駆動される。
【００１５】
第１搬送ローラー部２９は、記録紙３を挟むように配置されたローラー２９Ａ及びローラー２９Ｂとからなる。ローラー２９Ａは、回転軸２９Ｃによりユニットケース２８に取付けられ、第２搬送ローラー３１と同様に搬送駆動機構６６により駆動される駆動ローラーである。ローラー２９Ｂは、支軸２９Ｄにより回転自在に支持される。
第１搬送ローラー部２９及び第２搬送ローラー３１は、プリンター本体５の排出口１４ｂから排出された記録紙３を搬送してユニットケース２８のユニット排出口２８ｂから排出させる。
記録紙保持部材３３は、ユニットケース２８内を搬送される記録紙３を鉛直方向の下方で支持し、付加部２６側への移動を抑える紙案内である。
紙案内部３８は、第２搬送ローラー３１の下流側に位置して、記録紙３を鉛直方向の下方、すなわち裏面側を支持し、ユニット排出口２８ｂへ案内する。紙案内部３８は、記録紙３の裏面に、後述する付加部２６によって付加された粘着剤を避けるよう配置されている。具体的には、例えば紙案内部３８は記録紙３の幅方向において一部を支持する板状または棒状に構成され、付加部２６により付加された粘着剤を記録紙３の幅方向に避けるように、配置されている。
【００１６】
付加部２６は、帯状のフィルムの片面に粘着剤を剥離可能に付着させた粘着剤テープ４１と、ユニットケース２８に支軸３５を介して揺動自在に支持された粘着剤収容部３６と、この粘着剤収容部３６にて粘着剤テープ４１を繰り出す又は巻き取る繰出機構３７とを備える。
繰出機構３７は、粘着剤テープ４１が巻かれたテープ供給ドラム４２と、周面に粘着剤テープ４１が掛けられた付加ローラー４３と、粘着剤の付加がされた後の粘着剤テープ４１を巻き取るテープ巻き取りドラム４４とを備える。
付加ローラー４３は、第２搬送ローラー３１と対向して配置され、付加部２６が第２搬送ローラー３１の側へ移動した際に記録紙３に粘着剤テープ４１を押し付け、記録紙３に粘着剤を付加する。
テープ巻き取りドラム４４は、図示しない電動モーター等の巻き取り駆動機構により、付加ローラー４３の回転により粘着剤テープ４１の巻き取り方向に回転駆動され、このテープ巻き取りドラム４４での粘着剤テープ４１の巻き取りに伴ってテープ供給ドラム４２から粘着剤テープ４１が繰り出される。なお、符号４６，４７はテープ供給ドラム４２、付加ローラー４３をそれぞれ回転自在に支持する粘着剤収容部３６に取付けられた支軸、４８は上記の巻き取り駆動機構で回転駆動される、テープ巻き取りドラム４４に取付けられた回転軸である。
【００１７】
搖動駆動部２７は、付加部２６に当接するプランジャー５１と、プリンター本体５に設けられてプランジャー５１に駆動信号を送るＤＫＤ＿Ｉ／Ｆ５２と、プランジャー５１とＤＫＤ＿Ｉ／Ｆ５２とを接続するケーブル５３と、を備える。
プランジャー５１は、ソレノイド式であり、ソレノイドに通電することで、可動子５１ａがユニットケース２８の内側に突出し、支軸３５を中心にして付加部２６を揺動させる。付加部２６の揺動により、付加部２６の付加ローラー４３が粘着剤テープ４１を第２搬送ローラー３１の側の記録紙３に押し付け、粘着剤テープ４１から記録紙３への粘着剤の付加が可能になる。このときの付加部２６の位置（付加ローラー４３が粘着剤テープ４１を介して記録紙３に当接した位置）を当接位置（図３に示した位置）と呼ぶ。
また、ソレノイドへの通電を停止することで、プランジャー５１の可動子５１ａが元の位置まで移動し、付加部２６は、その自重又は付加部２６を第２搬送ローラー３１と離隔する方向に押圧する図示しない弾性部材（リターンスプリング）により揺動する。付加部２６が第２搬送ローラー３１と離隔する方向に揺動すると、付加部２６の付加ローラー４３が記録紙３から離れ、粘着剤テープ４１から記録紙３への粘着剤の付加が行われなくなる。このときの付加部２６の位置を離隔位置（図１に示した位置）と呼ぶ。
【００１８】
ＤＫＤ＿Ｉ／Ｆ５２は、紙幣や貨幣を収容するキャッシュドロワーをプリンター本体５に接続するインターフェイスである。キャッシュドロワーは、ドロワーケースと、このドロワーケースに出し入れ自在に設けられた引き出しと、この引き出しをドロワーケースに対してロックするロック機構とを備え、ロック機構は、例えばソレノイドにより構成される。プリンター１は、ホストコンピューターから図示しない入力インターフェイスを介してキャッシュドロワーをオープンするコマンドを受信した場合に、ＤＫＤ＿Ｉ／Ｆ５２から所定電圧の制御信号を出力する。この制御信号がキャッシュドロワーに入力されると、キャッシュドロワーの引き出しをロックしているロック機構のソレノイドがオンになってロックが解除され、引き出しが開く。
本実施形態では、キャッシュドロワーの引き出しを開くコマンド（信号）を用いて粘着剤付加装置６のプランジャー５１を駆動させる。すなわち、キャッシュドロワーを駆動させるために設けられたＤＫＤ＿Ｉ／Ｆ５２を利用して、粘着剤付加装置６を動作させることができる。このため、粘着剤付加装置６を接続するための新たなインターフェイスを追加する必用がないという利点がある。
【００１９】
図２は、プリンター１の制御系を示す機能ブロック図である。
プリンター本体５は、ホストコンピューター６０に接続された通信インターフェイス（Ｉ／Ｆ）６１と、プリンター１の各部を制御する制御部６２とを備える。
通信Ｉ／Ｆ６１は、例えば、ＵＳＢ規格に準拠したコネクターやインターフェイス回路等を備える。
制御部６２は、印刷制御部６２ａ、ＤＫＤ制御部６２ｂ及び通信制御部６２ｃを備え、通信Ｉ／Ｆ６１を介してホストコンピューター６０との間でコマンドや各種データを送受信する。制御部６２は、ホストコンピューター６０から受信したコマンドおよびデータに基づき、記録ヘッド２１、搬送駆動部６３及びオートカッター１３の各部を制御するとともに、ＤＫＤ＿Ｉ／Ｆ５２を介して粘着剤付加装置６を制御する。印刷制御部６２ａ、ＤＫＤ制御部６２ｂ及び通信制御部６２ｃは、制御部６２によりソフトウェアとして実現されてもよい。
【００２０】
印刷制御部６２ａは、ホストコンピューター６０から入力される印刷コマンドと印刷データに従って、搬送駆動部６３を制御して記録紙３（図１参照）を搬送させ、記録ヘッド２１への通電を制御して、記録紙３に文字、画像、バーコード等を印刷させる。記録紙３がレシートとして使用される場合、記録紙３には、店舗の情報、取引日時、取引内容（品名、価格）等が印刷される。
ＤＫＤ制御部６２ｂは、ホストコンピューター６０から送信されるコマンドに基づいてＤＫＤ＿Ｉ／Ｆ５２を介して粘着剤付加装置６に制御信号を出力する。
通信制御部６２ｃは、通信Ｉ／Ｆ６１によりホストコンピューター６０との間のコマンド及びデータの送受信を実行する。
【００２１】
ＤＫＤ＿Ｉ／Ｆ５２には、粘着剤付加装置６のプランジャー５１が接続される。上述のようにＤＫＤ＿Ｉ／Ｆ５２はキャッシュドロワー６８を接続するインターフェイスであるが、本実施形態では、ＤＫＤ＿Ｉ／Ｆ５２に粘着剤付加装置６が単独で接続される。なお、ＤＫＤ＿Ｉ／Ｆ５２に複数のコネクターを設け、粘着剤付加装置６とともにキャッシュドロワー６８を接続可能な構成としてもよい。
ＤＫＤ＿Ｉ／Ｆ５２から出力される制御信号は、例えばＨｉｇｈレベルとＬｏレベルの２値の電圧をとる信号であり、この制御信号がオン（Ｈｉｇｈレベル）に立ち上がると、プランジャー５１の可動子５１ａが突出し、付加部２６を揺動させて付加ローラー４３を記録紙３に押し当てる。この状態は上記制御信号がオンの間、継続して保持され、この間、粘着剤が記録紙３に付加される。上記制御信号がオフに切り替わると、プランジャー５１の可動子５１ａが引き込まれ、付加部２６が揺動して付加ローラー４３が記録紙３から離れる。ＤＫＤ制御部６２ｂは、ホストコンピューター６０から入力されるドロワーオープンコマンドがオンになっている間もしくはドロワーオープンコマンドが入力されたことをトリガーとして、ＤＫＤ＿Ｉ／Ｆ５２から出力する制御信号をオン（Ｈｉｇｈレベル）にする。従って、プランジャー５１を作動させてから作動を終了するまでの作動時間もしくはプランジャー５１を作動させるタイミングは、ホストコンピューター６０により制御可能である。この作動時間もしくはタイミングを制御することにより記録紙３に粘着剤を付加する付加位置及び／又は付加する長さを制御できる。
【００２２】
プリンター１の動作について、図２及び図３に基づいて説明する。
図３は、プリンター１の動作を示す説明図であり、当接位置におけるプリンター１の断面を示す。
プリンター１は、例えば、前回印刷した記録紙３がオートカッター１３で切断され、記録紙３の先端がオートカッター１３の位置に有る状態から、印刷を開始する。ホストコンピューター６０が記録紙３に印刷する内容に基づき印刷コマンドと印刷データとを生成し、プリンター本体５に送信すると、制御部６２は通信Ｉ／Ｆ６１を介して印刷コマンドと印刷データとを受信する。制御部６２は、受信した印刷コマンド及び印刷データに基づいて、搬送駆動部６３を駆動し、これによりプラテンローラー２２が図３中の矢印Ｄに示すように回転し、ロール紙１１が矢印Ｅで示す方向に回転して、記録紙３が引き出されて矢印Ｆで示すように排出口１４ｂに搬送される。
そして、記録紙３の印刷領域が印刷位置Ａに到達すると、制御部６２は、記録ヘッド２１を駆動させて印字を開始し、記録紙３への印字に伴って、記録紙３が白抜き矢印Ｇで示すように搬送され、記録紙３の先端が、白抜き矢印Ｈで示すようにプリンター本体５の排出口１４ｂから排出され、粘着剤付加装置６内に達する。
粘着剤付加装置６のユニットケース２８内では、第１搬送ローラー部２９により記録紙３が搬送される。この動作は、例えば、粘着剤付加装置６に記録紙３の先端を検出するセンサーを設け、このセンサーが記録紙３を検出している間は搬送駆動機構６６が動作する構成とすれば、実現可能である。また、ホストコンピューター６０またはプリンター本体５の制御部６２が、粘着剤付加装置６の搬送駆動機構６６を制御してもよい。
【００２３】
ホストコンピューター６０は、記録紙３に対して粘着剤を付加するか否か、粘着剤を付加する場合には記録紙３の長さ方向（搬送方向）において粘着剤を付加する位置及び／又は付加範囲を決定する。ホストコンピューター６０は、記録紙３において粘着剤を付加する先頭位置が第２搬送ローラー３１の位置に達するタイミングで、ＤＫＤ信号をオンにするよう指示するコマンドを、プリンター本体５に送信する。プリンター本体５は、ホストコンピューター６０から受信したコマンドに従って、ＤＫＤ＿Ｉ／Ｆ５２から制御信号を出力する。ここで、プリンター本体５は、ホストコンピューター６０から受信したコマンドをＤＫＤ＿Ｉ／Ｆ５２から出力する構成とすることができる。
この制御信号により、第２搬送ローラー３１が矢印Ｊで示すように回転している状態でプランジャー５１が駆動され、可動子５１ａが矢印Ｋで示すように突出し、付加部２６が、矢印Ｌで示すように支軸３５を中心にして揺動し、付加部２６が当接位置に至る。これにより、付加ローラー４３が、粘着剤テープ４１を記録紙３の裏面に押し付けながら第２搬送ローラー３１と共に矢印Ｍに示すように回転するので、粘着剤テープ４１の粘着剤４１Ａが、付加位置Ｃにて記録紙３の裏面に付加されるとともに、白抜き矢印Ｎで示すように記録紙３が第２搬送ローラー３１と付加ローラー４３との間に挟まれて搬送され、やがて、紙案内部３８に案内されながらユニット排出口２８ｂから外部に排出される。
このとき、付加ローラー４３の回転に伴って粘着剤テープ４１がテープ供給ドラム４２から矢印Ｑで示すように繰り出され、テープ供給ドラム４２が矢印Ｐで示すように回転する。第２搬送ローラー３１と付加ローラー４３との間を通った際に粘着剤テープ４１から粘着剤４１Ａが記録紙３の裏面に付加され、粘着剤４１Ａを付加した後の粘着剤テープ４１が、矢印Ｒで示すテープ巻き取りドラム４４の回転に伴って矢印Ｓで示すように搬送されてテープ巻き取りドラム４４に巻き取られる。
【００２４】
ホストコンピューター６０は、記録紙３において粘着剤を付加する後端位置が第２搬送ローラー３１の位置に達するタイミングで、ＤＫＤ信号をオフにするよう指示するコマンドを、プリンター本体５に送信する。プリンター本体５は、ホストコンピューター６０から受信したコマンドに従って、ＤＫＤ＿Ｉ／Ｆ５２から出力している制御信号をオフにする。この制御信号の切り替わりにより、プランジャー５１がプランジャー５１の可動子５１ａを移動させ、付加部２６を離隔位置まで移動させる。この結果、付加部２６が支軸３５を中心にして揺動することにより、付加ローラー４３及び粘着剤テープ４１が記録紙３から離れ、粘着剤４１Ａの付加が行われなくなる。このとき、記録紙保持部材３３によって記録紙３が粘着剤テープ４１に付着して移動するのを抑えることができる。
以上の動作により、記録紙３の裏面において所定の位置に、粘着剤が付加される。
【００２５】
ここで、ホストコンピューター６０は、記録紙３がオートカッター１３による切断位置Ｂから粘着剤の付加位置Ｃまで搬送される時間ｔｆ、記録紙３において粘着剤を付加する範囲が付加位置Ｃを通過するのに要する時間ｔｓｅｔ、及び、粘着剤の付加が終了してから記録紙３の後端がユニット排出口２８ｂに達する時間ｔｓを算出し、これらの時間に基づいて制御を行う。
また、記録紙３に粘着剤を付加しない場合、ホストコンピューター６０からプリンター本体５に対し、ＤＫＤ信号をオンにするよう指示するコマンドが送信されない。粘着剤付加装置６は、記録紙３がユニット排出口２８ｂに達するまで、搬送駆動機構６６による搬送を実行し、その後に停止する。
プリンター本体５の制御部６２は、ホストコンピューター６０から受信した印刷コマンド及び印刷データに基づく印刷が終了し、記録紙３の所定位置がオートカッター１３による切断位置Ｂに達すると、ホストコンピューター６０から受信するコマンドに従ってオートカッター１３を駆動して、記録紙３をカットし、搬送駆動部６３を停止させる。
【００２６】
図４は、ホストコンピューター６０及びプリンター１の動作を示すフローチャートである。
ホストコンピューター６０は、ユーザーの操作に従って生成されたデータ、または、自動的に生成されたデータに基づいて、印刷コマンドおよび印刷データを生成する（ステップＳ１）。また、ホストコンピューター６０は、ユーザーの操作に従って生成されたデータ、または、自動的に生成されたデータに基づいて、印刷物（記録紙３）に粘着剤を付加するかどうかを設定する。また、粘着剤を付加する場合には、粘着剤を付加位置を設定する（ステップＳ２）。
ホストコンピューター６０は、生成した印刷コマンドおよび印刷データを、プリンター本体５に出力し、プリンター本体５の制御部６２は、印刷制御部６２ａの機能により、ホストコンピューター６０から入力される印刷コマンドおよび印刷データに基づいて印刷を実行する（ステップＳ３）。
記録紙３に粘着剤を付加しない場合には（ステップＳ４；Ｎｏ）、その後、プリンター本体５が印刷を実行する。
また、粘着剤を付加する場合（ステップＳ４；Ｙｅｓ）、ホストコンピューター６０は、記録紙３に粘着剤を付加する先端位置が、付加部２６による付加位置に達したか否かを判別し（ステップＳ５）、付加位置に達すると（ステップＳ５；Ｙｅｓ）、プリンター本体５に対してＤＫＤ＿Ｉ／Ｆ５２の制御信号をオンにするよう指示するコマンドを出力し、このコマンドに従ってプリンター本体５が制御信号をオンにする（ステップＳ６）。これにより、粘着剤付加装置６のプランジャー５１がオンになり（ステップＳ７）、粘着剤が記録紙３に付加される。その後、ホストコンピューター６０は、例えば経過時間を計時して、プランジャー５１がオンになってからの経過時間がｔｓｅｔに達したか否かに基づき、記録紙３において粘着剤を付加する位置の後端が付加位置に達するまで待機する（ステップＳ８）。そして、粘着剤を付加する位置の後端が付加位置に達すると（ステップＳ８；Ｙｅｓ）、ホストコンピューター６０は、プリンター本体５に対してＤＫＤ＿Ｉ／Ｆ５２の制御信号をオフにするよう指示するコマンドを出力し、このコマンドに従ってプリンター本体５が制御信号をオフにして、プランジャー５１がオフになる（ステップＳ９）。
【００２７】
以上説明したように、本発明を適用した実施形態に係るプリンター１は、記録紙３に記録を行う記録ヘッド２１と、記録紙３を搬送する搬送駆動部６３と、記録紙３をカットするオートカッター１３と、記録紙３に粘着剤を付加する粘着剤付加装置６と、を備え、粘着剤付加装置６は、記録紙３に対して当接する当接位置および記録紙３から離隔する離隔位置を移動可能な付加部２６と、付加部２６を、当接位置と離隔位置との間で移動させるプランジャー５１と、を備えている。この構成により、プランジャー５１によって付加部２６を離隔位置から当接位置まで移動させ、粘着剤を記録紙３に付加するので、粘着剤付加装置６は記録紙３の移動経路を大きく変更することなく、オートカッター１３での記録紙３のカット等に影響を及ぼすことなく、記録紙３に粘着剤を付加できる。
【００２８】
また、図３に示したように、粘着剤付加装置６は、記録紙３を搬送する第２搬送ローラー３１を備え、当接位置に有る付加部２６と第２搬送ローラー３１との間に記録紙３が挟まれて搬送されるので、第２搬送ローラー３１が記録紙３に対して付加部２６とは反対側に配置されるため、第２搬送ローラー３１に粘着剤４１Ａが付着する心配がなく、記録紙３に対する粘着剤４１Ａの付加位置が第２搬送ローラー３１の位置に制約されない。従って、記録紙３における粘着剤４１Ａの付加位置の自由度を増すことができる。例えば、粘着剤４１Ａの付加面積も変更可能なので、記録紙３の粘着力を調整することができる。
また、図１に示したように、付加部２６は、テープ材に粘着剤４１Ａを剥離可能に付着させた粘着剤テープ４１と、記録紙３に接触した粘着剤テープ４１を第２搬送ローラー３１により搬送される記録紙３に追従させて繰り出す繰出機構３７とを備えるので、繰出機構３７によって、粘着剤テープ４１を記録紙３に追従させて繰り出し、粘着剤４１Ａをテープ材から剥離させて記録紙３に連続的に付加することができる。
【００２９】
また、図１及び図３に示したように、第２搬送ローラー３１は、搬送機構１２とは独立して駆動され、付加部２６が当接位置に有る場合に記録紙３に搬送力を加え、付加部２６が離隔位置にある場合に記録紙３に搬送力を加えない構成とされたので、第２搬送ローラー３１が搬送機構１２とは独立して駆動されることで、レシートプリンター等に粘着剤付加装置６を容易に後付けすることができる。また、第２搬送ローラー３１は、付加部２６が当接位置に有る場合に記録紙３に搬送力を加えるので、第２搬送ローラー３１を駆動させる動力を節約することができる。
また、粘着剤付加装置６は、記録紙３を搬送する第２搬送ローラー３１を備え、当接位置に有る付加部２６と第２搬送ローラー３１との間に記録紙３が挟まれて搬送されるので、第２搬送ローラー３１が記録紙３に対して付加部２６とは反対側に配置される。このため、第２搬送ローラー３１に粘着剤が付着する心配がない。例えば、記録紙３に対する粘着剤の付加位置を、第２搬送ローラー３１を避けた位置とする必要がない。従って、粘着剤を付加させる位置が制約されないので、記録紙３における粘着剤の付加位置の自由度を増すことができる。
さらに、プランジャー５１は、キャッシュドロワーを駆動させるためのＤＫＤ＿Ｉ／Ｆ５２から入力される信号に従って、付加部２６を当接位置と離隔位置との間で移動させるので、プリンター本体５に付加部２６を駆動する信号を出力するための新たなインターフェイス等を設ける必要がなく、コストを抑えることができる。
ここで、プランジャー５１を駆動する制御信号が、プリンター本体５のＤＫＤ＿Ｉ／Ｆ５２から入力される構成としたので、プリンター本体５が備えるインターフェイスを利用することができるが、例えばプリンター本体５が備える通信Ｉ／Ｆ６１から粘着剤付加装置６に上記制御信号を出力してもよい。すなわち、通信Ｉ／Ｆ６１が複数のコネクターを備える場合に、これらのコネクターに、ホストコンピューター６０と、粘着剤付加装置６をそれぞれ接続してもよい。
【００３０】
なお、上述した実施の形態は、あくまでも本発明の一態様を示すものであり、本発明の範囲内で任意に変形および応用が可能である。
例えば、上述した実施形態では、図１及び図２において、プリンター本体５を作動させる際にプランジャー５１の作動に関係なく搬送駆動機構６６を作動させて第２搬送ローラー３１を回転駆動させるようにしたが、これに限らず、ＤＫＤ＿Ｉ／Ｆ５２から出力される制御信号がＨｉｇｈレベルに切り替わった場合に、プランジャー５１がオンに切り替わるとともに搬送駆動機構６６が作動して第２搬送ローラー３１を回転駆動させる構成としてもよい。この場合、プランジャー５１のオフとともに搬送駆動機構６６の作動を停止させて第２搬送ローラー３１の回転を停止させても良い。これにより、粘着剤付加装置６の使用電力を節約することができる。
上記のように搬送駆動機構６６をドロワーオープンコマンド送信時に作動させるようにした場合、記録紙３に粘着剤を付加しないときには、排出口１４ｂから排出された記録紙３を、第２搬送ローラー３１を介さないでユニット排出口２８ｂから排出するようにしても良い。
【００３１】
また、上記実施形態では、図１および図３に示したように、付加部２６を搖動駆動部２７により揺動させるようにしたが、これに限らず、付加部２６をスライド移動可能な構成とし、スライド移動により記録紙３に粘着剤４１Ａを付加するようにしても良い。
また、図４に例示したように、ＤＫＤ制御部６２ｂは設定時間ｔｓｅｔの間だけプランジャーがＯＮになるように制御信号を出力する構成として説明したが、本発明はこれに限定されない。例えば、ホストコンピューター６０から入力されるコマンドに基づき、ドロワーオープンコマンドを送信した後にプランジャーをＯＮにする時刻と、プランジャーをＯＦＦにする時刻とを決定しても良い。この場合、記録紙の長さ方向で粘着剤の付加開始位置と付加終了位置を指定することができ、粘着剤の転写位置の自由度を増すことができる。
また、図１において、第２搬送ローラー３１の下流側に、記録紙３を挟む一対のローラーを設け、これらのローラーによって記録紙３を搬送するようにしても良い。この場合、記録紙３の下側のローラーについては、記録紙３に粘着剤を付加する場合（プランジャーオン）には、粘着剤が付着するのを防止するため、記録紙３から離隔させると好ましい。
【００３２】
さらに、上記実施形態ではサーマルプリンターとして構成されるプリンター本体５に本発明を適用した例を説明したが、本発明は、ドットインパクトプリンター、インクジェット式プリンター、レーザープリンター等の各種記録装置にも適用可能であることは勿論である。
また、上記実施形態では、図１において、プリンター１は、プリンター本体５と、粘着剤付加装置６とから構成されるようにしたが、このプリンター１は、別体として構成されるプリンター本体５（印刷装置）と粘着剤付加装置６とを備えた印刷システムということができる。本発明はこれに限らず、プリンター１を、プリンター本体５と粘着剤付加装置６とを備える印刷装置として構成することもできる。たとえば、プリンター本体５と粘着剤付加装置６とを一のケースに収めて１つのプリンター１としてもよい。この場合、排出口１４ｂを構成せず、プリンター１の排出口は上記実施形態のユニット排出口２８ｂがプリンター１の排出口となる。また、オートカッター１３を粘着剤付加装置で粘着剤が付加された記録紙３を切断する位置に配置してもよい。
また、本実施形態では、ＤＫＤ＿Ｉ／Ｆ５２を利用して記録紙３への粘着剤付加開始位置、粘着剤付加長さをホストコンピューター６０で制御するようにしたので、本来のドロワーオープンコマンドによるキャッシュドロワーの引き出しを開くタイミングとは必ずしも一致しないが、そのドロワーオープンコマンドにより粘着剤付加装置６を作動させて記録紙３に粘着剤を付加することは可能である。
【符号の説明】
【００３３】
１…プリンター（記録装置）、３…記録紙（記録媒体）、４…印刷機構、５…プリンター本体（印刷装置）、６…粘着剤付加装置、１２…搬送機構、１３…オートカッター（切断部）、２１…記録ヘッド、２６…付加部（粘着剤付加部）、２７…搖動駆動部（動作部）、２９…第１搬送ローラー部、３１…第２搬送ローラー、３６…粘着剤収容部、３７…繰出機構（粘着剤付加部）、４１…粘着剤テープ、４１Ａ…粘着剤、４３…付加ローラー（粘着剤付加部材）、５１…プランジャー、５２…ＤＫＤ＿Ｉ／Ｆ、６０…ホストコンピューター、６２…制御部、６２ａ…印刷制御部、６２ｂ…ＤＫＤ制御部、６３…搬送駆動部、６６…搬送駆動機構。
【図１】
2014097851.tif 000003
【図２】
2014097851.tif 000004
【図３】
2014097851.tif 000005
【図４】
2014097851.tif 000006